(57)【要約】      （修正有）【課題】メークアップブラシのハンドル（持ち手）を、ブラシが回転できるように保持する保持器を提供する。【解決手段】装置は、細長い本体１０と、ボタン１２の形態のユーザ制御部と、マウント１８とを含む。マウント１８は、保持器を用いてブラシを装置に取り付けるためのものである。ベース２２および十字形のマウントピース２０を備える。ブラシのハンドル端部を保持するための保持器は、マウントに取り付け可能な端部と、ブラシのハンドル端部を固定することができるカラーを備えるもう１つの端部とを備える。カラーは、ハンドル端部のカラーへの固定を容易にするための、１つ以上の凹部、穴、および／または凸部がその中またはその上にあり、ハンドル端部がカラーに固定されるとき、マウントの回転は、ブラシをその長さの周りで回転させる。【選択図】図１Ａ
2019005585.tif 000002
【特許請求の範囲】
【請求項１】
ブラシのハンドル端部を保持するための保持器であって、
マウントに取り付け可能な端部と、
ブラシのハンドル端部が固定され得る弾性カラーを備えるもう１つの端部とを備え、
前記カラーは、当該カラーにおけるハンドル端部の固定を容易にするために、その内面に設けられた１つ以上の凹部および／または当該カラーの中に設けられた１つ以上の穴を有し、前記ハンドル端部が前記カラーに固定されるとき、その回転軸の周りのマウントの回転は、当該軸の周りのブラシの回転を引き起こす、保持器。
【請求項２】
前記１つ以上の凹部および／または１つ以上の穴は、カラーの変形を促進することにより、ハンドル端部のカラーへの固定を促進する、請求項１に記載の保持器。
【請求項３】
前記カラーは、当該カラーの外面に１つ以上の凹部を有する、請求項１または２に記載の保持器。
【請求項４】
前記カラーは、その外面に１つ以上の凸部を有する、請求項１または２に記載の保持器。
【請求項５】
前記外面における前記１つ以上の凸部は、複数のリッジ、ローレット、または他の突起を含む、請求項３に記載の保持器。
【請求項６】
前記内面における前記１つ以上の凹部は、複数の溝またはディンプルを備える、請求項１〜５のいずれか一項に記載の保持器。
【請求項７】
前記カラーは蛇腹形状を有し、前記１つ以上の凹部は前記蛇腹形状のチャネルを備え、前記リッジおよび前記チャネルは前記カラーの長さに対して長手方向に延在する、請求項１〜３のいずれか一項に記載の保持器。
【請求項８】
前記カラーがブラシのハンドル端部を位置決めし、保持するために、伸張されていない構成から伸張された構成に伸張され得るように、前記保持器が弾性的に変形可能な材料で形成される、請求項７に記載の保持器。
【請求項９】
前記１つ以上のリッジが、前記カラーの開口部に向かって斜めに設けられた、請求項７または８に記載の保持器。
【請求項１０】
リッジの頂部と、チャネルの隣接するトラフとの間の１つ以上の表面が、頂部の長さに対して実質的に平行に延びる溝をその中に有する、請求項７〜９のいずれか一項に記載の保持器。
【請求項１１】
前記カラーの直径が５ｍｍ〜３０ｍｍである、請求項１に記載の保持器。
【請求項１２】
請求項１〜１１のいずれか一項に記載の保持器を複数含むキットであって、各々の保持器が、異なる円周の１つ以上のブラシハンドルを保持するように構成された、キット。
【請求項１３】
ブラシを回転させるための電動装置であって、
マウントと、
請求項１〜１１のいずれか一項に記載の保持器とを備え、
前記端部は、前記マウントの回転が前記ブラシをその長さを中心として回転させるように、前記マウントに取り付けられる、電動装置。
【請求項１４】
前記電動装置は手持ち式である、請求項１３に記載の電動装置。
【発明の詳細な説明】
【技術分野】
【０００１】
本発明は、ブラシ、特にメークアップブラシのハンドル（持ち手）を、ブラシが回転できるように保持する保持器に関する。
【背景技術】
【０００２】
使用済みのメークアップブラシは細菌を保有する。メークアップブラシは、皮膚が繊細な顔にメークアップを適用するのに典型的に使用されるので、このような細菌は、メークアップブラシの使用者の皮膚または健康全体に有害であり得る。メークアップブラシの効果的なクリーニングは、問題となり得る。
【０００３】
メークアップブラシの洗浄に有効なものとして、本発明者が考案した解決策は、メークアップブラシのハンドルを電動装置に取り付けることであり、電動装置を動作させてブラシをその長さを中心に回転させることができる。次いで、ブラシの繊維端部を洗浄液中で回転させ、次いで、乾燥のために空気中で回転させることができる。ハンドルを電動装置に取り付けるために、電動装置は、回転可能な駆動シャフトの端部に取り付けられたマウントを含み、ブラシが駆動シャフトの軸に対して長手方向に延びるように、コネクタピースが、ブラシハンドルにマウントを結合する。
【０００４】
このようなデバイスは、様々な形状およびサイズのハンドルを有するブラシを保持し、回転させることができなければならない。したがって、そのような電動式デバイスに、それぞれが異なるサイズのブラシを収容するように構成された、いくつかのコネクタピースを提供することが知られている。各コネクタピースは装置から取り外し、別のコネクタピースと交換することができる。
【０００５】
残念ながら、ブラシは、公知のコネクタ部品から緩むことがある。また、公知のコネクタピースからブラシを取り外すことが困難な場合がある。さらに、多種多様な異なる形状およびサイズのハンドルを有するブラシを保持するために、多数のコネクタピースが必要とされ得る。本発明の目的は、このような問題に対処することである。
【発明の概要】
【０００６】
本発明の一態様によれば、ブラシのハンドル端部を保持するための保持器が提供される。保持器は、マウントに取り付け可能な端部と、ブラシのハンドル端部が固定され得る弾性カラーを備えるもう１つの端部とを備える。前記カラーは、当該カラーにおけるハンドル端部の固定を容易にするために、その内面に設けられた１つ以上の凹部および／またはその中に設けられた１つ以上の穴を有し、前記ハンドル端部が前記カラーに固定されるとき、その回転軸の周りのマウントの回転は、当該軸の周りのブラシの回転を引き起こす。
【０００７】
１つ以上の凹部および／または１つ以上の穴は、カラーの変形および／または伸張を容易にし、固定を容易にする。これは、上述の問題に少なくとも部分的に対処する。
【０００８】
保持器の好ましい特徴および／または任意選択の特徴は、従属請求項に記載されている。このような保持器を複数含むキットも提供される。さらに、そのような保持器を備える電動式装置が提供される。
【０００９】
また、上述の態様とは別に、ブラシのハンドル端部を保持するための保持器が提供される。この保持器は、マウントに取り付け可能な端部と、ブラシのハンドル端が固定され得る弾性カラーを備えるもう１つの端部（他端）とを備える。カラーは、ハンドル端部のグリップを容易にするためにその内面に凸部を有し、１つまたは複数の凸部はハンドル端部のカラーへの固定を容易にし、ハンドル端部がカラーに固定されるとき、マウントの回転は、ブラシの回転を引き起こす。カラーは、カラーの外面から延びる１つまたは複数の凸部を有することができる。１つ以上の凸部は、複数のリッジ、ローレット、または他の突起を備えてもよい。保持器は、リッジの形態の凸部、および蛇腹形状のチャネルがカラーの長さに対して長手方向に延びる蛇腹形状であってもよい。１つ以上のリッジは、カラーの開口部に向かって斜めに設けられてもよい。リッジの頂部とチャネルの隣接するトラフとの間の１つ以上の表面は、その中に溝を有し得る。１つ以上の溝は、頂部の長さに対して実質的に平行に延びることができる。カラーの直径は、５ｍｍから３０ｍｍの間であってもよい。キットは、複数のこのような保持器を含んでもよい。このような保持器はそれぞれ、異なる円周の１つまたは複数のブラシハンドルを保持するように構成されてもよい。ブラシを回転させるための電動装置は、マウントおよびこのような保持器を備えることができる。端部はマウントの回転がブラシをその長さの周りで回転させるように、マウントに取り付けることができる。
【図面の簡単な説明】
【００１０】
本発明をより良く理解するために、添付の図面を参照して、単なる例として、実施形態を説明する。
【図１Ａ】装置の正面図である。
【図１Ｂ】装置の平面図である。
【図１Ｃ】装置の下面図である。
【図２Ａ】実施形態によるブラシ保持器の斜視図である。
【図２Ｂ】実施形態によるブラシ保持器の断面図である。
【図２Ｃ】実施形態によるブラシ保持器の端面図である。
【図３Ａ】装置の一部を概略的に示す。
【図３Ｂ】洗浄液を保持するための容器の図である。
【図４ｉ】一実施形態によるブラシ保持器の端部の図であり、この端部は、メークアップブラシの端部が挿入され得る端部である。
【図４ｉｉ】断面が破線で示されている、保持器の側面図である。
【図４ｉｉｉ】保持器の直径上の保持器の断面図である。
【図４ｉｖ】保持器の斜視図である。
【図５ｉ】本発明の種々の異なる実施形態によるブラシ保持器の図であり、特定の性質は、図４ｉに対応する。
【図５ｉｉ】本発明の種々の異なる実施形態によるブラシ保持器の図であり、特定の性質は、図４ｉｉに対応する。
【図５ｉｉｉ】本発明の種々の異なる実施形態によるブラシ保持器の図であり、特定の性質は、図４ｉｉｉに対応する。
【図５ｉｖ】本発明の種々の異なる実施形態によるブラシ保持器の図であり、特定の性質は、図４ｉｖに対応する。
【図６ｉ】本発明の種々の異なる実施形態によるブラシ保持器の図であり、特定の性質は、図４ｉに対応する。
【図６ｉｉ】本発明の種々の異なる実施形態によるブラシ保持器の図であり、特定の性質は、図４ｉｉに対応する。
【図６ｉｉｉ】本発明の種々の異なる実施形態によるブラシ保持器の図であり、特定の性質は、図４ｉｉｉに対応する。
【図６ｉｖ】本発明の種々の異なる実施形態によるブラシ保持器の図であり、特定の性質は、図４ｉｖに対応する。
【図７ｉ】本発明の種々の異なる実施形態によるブラシ保持器の図であり、特定の性質は、図４ｉに対応する。
【図７ｉｉ】本発明の種々の異なる実施形態によるブラシ保持器の図であり、特定の性質は、図４ｉｉに対応する。
【図７ｉｉｉ】本発明の種々の異なる実施形態によるブラシ保持器の図であり、特定の性質は、図４ｉｉｉに対応する。
【図７ｉｖ】本発明の種々の異なる実施形態によるブラシ保持器の図であり、特定の性質は、図４ｉｖに対応する。
【図８ｉ】本発明の種々の異なる実施形態によるブラシ保持器の図であり、特定の性質は、図４ｉに対応する。
【図８ｉｉ】本発明の種々の異なる実施形態によるブラシ保持器の図であり、特定の性質は、図４ｉｉに対応する。
【図８ｉｉｉ】本発明の種々の異なる実施形態によるブラシ保持器の図であり、特定の性質は、図４ｉｉｉに対応する。
【図８ｉｖ】本発明の種々の異なる実施形態によるブラシ保持器の図であり、特定の性質は、図４ｉｖに対応する。
【図９ｉ】本発明の種々の異なる実施形態によるブラシ保持器の図であり、特定の性質は、図４ｉに対応する。
【図９ｉｉ】本発明の種々の異なる実施形態によるブラシ保持器の図であり、特定の性質は、図４ｉｉに対応する。
【図９ｉｉｉ】本発明の種々の異なる実施形態によるブラシ保持器の図であり、特定の性質は、図４ｉｉｉに対応する。
【図９ｉｖ】本発明の種々の異なる実施形態によるブラシ保持器の図であり、特定の性質は、図４ｉｖに対応する。
【図１０ｉ】本発明の種々の異なる実施形態によるブラシ保持器の図であり、特定の性質は、図４ｉに対応する。
【図１０ｉｉ】本発明の種々の異なる実施形態によるブラシ保持器の図であり、特定の性質は、図４ｉｉに対応する。
【図１０ｉｉｉ】本発明の種々の異なる実施形態によるブラシ保持器の図であり、特定の性質は、図４ｉｉｉに対応する。
【図１０ｉｖ】本発明の種々の異なる実施形態によるブラシ保持器の図であり、特定の性質は、図４ｉｖに対応する。
【図１１ｉ】本発明の種々の異なる実施形態によるブラシ保持器の図であり、特定の性質は、図４ｉに対応する。
【図１１ｉｉ】本発明の種々の異なる実施形態によるブラシ保持器の図であり、特定の性質は、図４ｉｉに対応する。
【図１１ｉｉｉ】本発明の種々の異なる実施形態によるブラシ保持器の図であり、特定の性質は、図４ｉｉｉに対応する。
【図１１ｉｖ】本発明の種々の異なる実施形態によるブラシ保持器の図であり、特定の性質は、図４ｉｖに対応する。
【図１２ｉ】本発明の種々の異なる実施形態によるブラシ保持器の図であり、特定の性質は、図４ｉに対応する。
【図１２ｉｉ】本発明の種々の異なる実施形態によるブラシ保持器の図であり、特定の性質は、図４ｉｉに対応する。
【図１２ｉｉｉ】本発明の種々の異なる実施形態によるブラシ保持器の図であり、特定の性質は、図４ｉｉｉに対応する。
【図１２ｉｖ】本発明の種々の異なる実施形態によるブラシ保持器の図であり、特定の性質は、図４ｉｖに対応する。本発明の種々の異なる実施形態によるブラシ保持器の図であり、各図の特定の性質は、それぞれ図４ｉ〜４ｉｖに対応する。
【図１３ｉ】蛇腹形状を有する別の実施形態によるブラシ保持器の端面図であり、端面図は、ブラシのハンドル端が位置する端面図である。
【図１３ｉｉ】保持器の側面図である。
【図１３ｉｉｉ】保持器の断面図である。
【図１３ｉｖ】ブラシ保持器の他端からの端面図である。
【図１３ｖ】ブラシ保持器の斜視図である。
【図１４ｉ】異なる蛇腹構成を有する別の実施形態による別のブラシ保持器の図であり、特定の性質は、図１３ｉに対応する。
【図１４ｉｉ】異なる蛇腹構成を有する別の実施形態による別のブラシ保持器の図であり、特定の性質は、図１３ｉｉに対応する。
【図１４ｉｉｉ】異なる蛇腹構成を有する別の実施形態による別のブラシ保持器の図であり、特定の性質は、図１３ｉｉｉに対応する。
【図１４ｉｖ】異なる蛇腹構成を有する別の実施形態による別のブラシ保持器の図であり、特定の性質は、図１３ｉｖに対応する。
【図１４ｖ】異なる蛇腹構成を有する別の実施形態による別のブラシ保持器の図であり、特定の性質は、図１３ｖに対応する。
【発明を実施するための形態】
【００１１】
本発明の実施形態はブラシがその長さを中心に電動装置によって回転され得るように、ブラシのハンドル端部を保持するための保持器に関する。このようにして、ブラシの繊維端部を、洗浄のために洗浄液中で、および乾燥のために空気中で、回転させることができる。
【００１２】
電動装置は、メークアップブラシと共に使用することを意図されているが、装置の使用はこれに限定されない。保持器は、例えば、ペイントブラシを保持するために使用することができる。保持器は、一般に、特に回転が有益な場合に、所定の細長い器具または他の部材の端部を保持するために使用することができる。
【００１３】
図面１Ａを参照すると、一実施形態では、装置は、細長い本体１０と、ボタン１２の形態のユーザ制御部と、第１のライト１４と、第２のライト１６と、マウント１８とを含む。マウント１８は、保持器を用いてブラシを装置に取り付けるためのものである。マウント１８は、図１Ｂにおいても示されるように、ベース２２および十字形のマウントピース２０を備える。
【００１４】
図２Ａを参照すると、実施形態によるいくつかのブラシ保持器が２４ａ〜ｈで示されている。各保持器のブラシグリップ端部２６ａ〜２６ｈの形態のカラー部分は、ブラシのハンドル端部を受け入れて保持するように構成される。各保持器は、回転中にブラシが確実に保持されるように、異なるサイズの限られた範囲のハンドル端部をしっかりと保持するために、十分に弾性を有し、可撓性である。ブラシ保持器２４ａ〜２４ｈは、一緒になって、ブラシハンドル端部の様々な形状およびサイズを保持することができる。
【００１５】
図２Ｂおよび２Ｃから分かるように、保持器２４ａ〜ｈの各々は、マウント端部２８ａ〜２８ｈを有する。各マウント端部２８ａ〜２８ｈは、同じまたは類似のサイズおよび形状の穴をその中に有し、マウントピース２０上へのマウントを可能にする。保持器２４ｃ〜２４ｈの各々の穴は、正方形の断面を有する。マウント１８および各マウント端部２８ａ〜２８ｈは、それぞれ、それぞれの保持器をマウントピース２０に取り外し可能に固定することができるように、協働する形状に構成される。保持器の各々は、マウントピース２０に押し付けることができ、保持器が作られる材料の性質、およびマウントピース２０の形状、すなわち、材料の弾性およびマウントピース２０との摩擦により、保持器２４ａ〜２４ｈは、ブラシの回転中、マウントピース２０上に固定して配置されたままである。変形実施形態では、単一の保持器のみが、電動装置と共に使用するために提供されてもよい。この場合、マウントピース２０および保持器は、着脱可能に構成される必要はない。例えば、保持器は、接着剤で取り付け部品に固定することができる。
【００１６】
保持器２４ａ〜２４ｈの各々は、メークアップブラシのハンドルが把持するほぼ円筒形の内面を提供する。変形実施形態では、内面が非円筒形断面を有することができる。
【００１７】
内面は、保持器に対して長手方向に延びる溝２５の形態の複数の凹部を有する。換言すれば、溝２５は、保持器が回転する軸に対して長手方向に延びる。溝は、ブラシグリップ端部２６ａ〜２６ｈの開口からマウント端部２８ａ〜２８ｈまで、内面の円周に対して幅が先細りになっていてもよい。変形実施形態では、溝は、ブラシハンドルの端部が挿入される開口部の近くにおける深さの方が、ブラシグリップ端部のさらに奥における深さよりも大きくてよい。例えば、変形実施形態では、溝は軸に対して斜めに、または波状に延びてもよい。実施形態において、溝はブラシグリップ端部を撓ませる能力の増大をもたらす他の方法で配置されてもよく、その結果、保持器が保持できるブラシハンドル端部サイズの範囲が増大し、および／またはブラシハンドル端部を保持器に押し込むときに保持器を変形および／または伸張させるのに必要な力が少なくなる。
【００１８】
マウントピース２０の十字形断面は、取り付けられた保持器の内部に空気がアクセスすることを有効に可能にし、取り付けられた保持器および／またはブラシの取り外しを妨げる保持器内の真空効果を妨げる。十字形のマウントピース２０は、装置の本体１０から遠い方の端部で膨らんでいる。換言すれば、十字形部品を横切る直径は、電動装置に向かって先細りになっている。これは、マウント端部２８ａ〜２８ｈをマウントピース２０に固定するのに役立つ。
【００１９】
図３Ａを参照すると、装置は、マイクロコントローラ４０、電気モータ４２およびバッテリ４４を含み、これらは全て動作的に連結されている。第１および第２のライト１４、１６およびボタン１２もまた、マイクロコントローラ４０に動作可能に結合されている。
【００２０】
マイクロコントローラ４０は、プロセッサ４６と、メモリ４８と、クロック５０と、バスによって動作可能に接続された入力／出力インタフェース５２とを備える。コンピュータ・プログラム・コードは、プロセッサによって実行可能なメモリに記憶され、マイクロコントローラ４０に本明細書で説明される機能を持たせる。電気モータ４２は駆動軸（図示せず）を含む。駆動軸は、電気モータ４２が、その軸を中心に回転するように構成される。本体１０は、駆動シャフトが貫通して延びる開口を有する。マウント１８は、駆動シャフトに取り付けられている。保持器２４ａ〜２４ｈはそれぞれ、保持器２４ａ〜２４ｈがマウントピース２０に取り付けられ、保持器２４ａ〜２４ｈによって保持されたブラシが回転するとき、ブラシがシャフトの軸と実質的に同軸で回転するように構成される。
【００２１】
マイクロコントローラ４０は、電気モータ４２を制御するように構成される。ボタン１２は、マイクロコントローラ４０に、電気モータ４２に駆動シャフトの回転を開始させるように動作可能である。例えば、マイクロコントローラ４０は、第１のライト１４および第２のライト１６を制御して、回転の開始に加えて、ユーザが繊維端部を液体から空気に移動させるべきかどうかを、ユーザに示すように構成される。
【００２２】
バッテリ４４は、図２Ｃに示すように、装置のベース３２内の蓋３０を介してアクセス可能である。バッテリ４４は、マイクロコントローラ４０および電気モータ４２に結合されて、装置に電力を供給する。バッテリ４４はＡＡタイプのような交換可能なバッテリの形態であるが、他のタイプのバッテリを代わりに使用してもよい。あるいは、装置がバッテリ４４を充電するために外部電源をバッテリ４４に接続することを可能にする充電ポートを含むことができる。充電ポートは、様々な方法のうちの任意の１つで構成することができる。例えば、装置は、マイクロＵＳＢポートを含むことができる。このようなポートは、装置の使用中、開放可能なシールによって覆われ、洗浄液が充填ポート内に進入する可能性を防止することが好ましい。あるいは、装置はバッテリを備えず、主電源に接続可能であってもよい。
【００２３】
本発明者は、ブラシが回転されるべき好ましい速度が２３００〜３３００ｒｐｍであることを見出した。この装置を使用する洗浄用の異なるブラシは、異なる質量を有する。電動モータ４２は、この範囲内でブラシを回転させるように構成されることが好ましい。この範囲でブラシを回転させるために、電気モータ４２は、軽いブラシよりも重いブラシを回転させるためにより大きな電力供給を必要とする場合があり、モータおよびマイクロコントローラ４０は、それに応じて構成され得る。実施形態において、マイクロコントローラ４０は、ユーザがボタン１２を使用して、より重いブラシに対してはより高い電力を、より軽いブラシに対してはより低い電力を選択することを可能にするように構成され得る。
【００２４】
図３Ｂを参照すると、ボウル形状の容器５０は、洗浄液を保持する下側部分５２と、スプレーガードとして機能する上側部分５４とを備える。上側部分５４は、円形の開口部を画定する。開口部を通して、ブラシの繊維端が挿入され、繊維端を洗浄溶液中に配置することができる。使用時にブラシが開口の側面に当たる可能性があるので、環状のプラスチック片５６がリムの周りに配置され、上側部分５４を保護する。ボウルは、透明、半透明、または不透明であってもよい。他の種類の容器を使用して洗浄液を保持し、その中で、装置を使用してブラシの繊維端を回転させることができる。洗浄液は、任意の適切な液体であってよい。例えば、洗浄溶液は、水ベースの石■溶液、またはアルコールベース、または他のものであってもよい。
【００２５】
好ましい洗浄方法は、以下のステップを含む：
ａ）繊維端部を洗浄液に浸し、好ましくは、洗浄液を収容する容器のベースに繊維端部を押し付ける；
ｂ）洗浄液中で繊維端部を回転させる；
ｃ）ブラシから噴霧される材料が容器によって遮断されるように、繊維端部を空気中で、好ましくは洗浄液の上方かつ容器のリムの下方の空間内で回転させる。
【００２６】
使用中、使用者が洗浄を望む特定のブラシに適したサイズである保持器が、利用可能な保持器２４ａ〜２４ｈから選択される。次に、選択された保持器は、それぞれの保持器のマウント端部をマウントピース２０に押し付けることによって、装置に取り付けられる。その前または後に、ブラシのハンドル端部は、ハンドルの端部を保持器内に押し込むことによってブラシのハンドル端部に取り付けられ、保持器を伸張および／または変形させる。次いで、この装置を使用してブラシを回転させることができる。保持器およびブラシは、使用後に引き離すことができる。
【００２７】
実施形態による他の保持器を、残りの図を参照して説明する。２４ａ〜２４ｈで示される保持器と同様に、保持器の各々は、マウントピース２０に取付けるための穴を有するマウント端部を有する。また、保持器の各々は、ブラシグリップ端部の形態のカラー部分を有する。保持器の各々はブラシグリップ端部内に、凹部、凸部、および穴のうちの少なくとも１つをさらに有する。凹部は、ブラシグリップ端部の内面または外面にあり、凸部はブラシグリップ端部の内面または外面から延びる。穴は、ブラシグリップ端部の材料を貫通して延びる。凹部、凸部、および穴は、ブラシのハンドル端を保持器に固定するのを助け、その結果、ブラシをマウントピース２０に取り付けることができる。特に、凹部および穴は、ブラシグリップ端部を変形させて異なる形状およびサイズのブラシハンドル端部を収容する能力を高め、凸部は、典型的にはブラシグリップ端部の残りの部分と共に弾性的に変形して、その中にブラシハンドル端部を把持する。少なくともいくつかの実施形態によれば、凹部、凸部、および穴は、広範囲の形状およびサイズのブラシを保持するために必要とされる保持器の数を減らす。
【００２８】
図４ｉから図４ｉｖを参照すると、一実施形態では、保持器１４０のブラシグリップ端部の内面１４２がその中に複数の離間したディンプル１４４を有する。これらは、ブラシのハンドル端部を受け入れるための保持器の変形および／または伸張を容易にする。
【００２９】
図５ｉから図５ｉｖを参照すると、一実施形態では、保持器１５０のブラシグリップ端部の内面１５２が把持を容易にするために、その上に複数の離間した突起１５４を有する。
【００３０】
図６ｉから図６ｉｖを参照すると、一実施形態では、保持器１６０のブラシグリップ端部の内面１６２が把持を容易にするために、その上に複数の離間した突起１６４を有する。内面の単位面積当たりの数は、図５ｉから図５ｉｖに示される保持器上よりも大きい。
【００３１】
図７ｉから図７ｉｖを参照すると、一実施形態では、保持器１７０のブラシグリップ端部がその中にスリット１７２の形態の複数の穴を有する。これらは、ブラシのハンドル端部を受け入れるための保持器の変形および／または伸張を容易にする。
【００３２】
図８ｉから図８ｉｖを参照すると、一実施形態では、保持器１８０のブラシグリップ端部の内面１８２が把持を容易にするために、その上に複数の離間した突起１８４を有する。図５ｉから図５ｉｖに示される保持器上よりも、内面上の単位面積当たりの数が少ない。
【００３３】
図９ｉから図９ｉｖを参照すると、一実施形態では、保持器１９０のブラシグリップ端部の内面１９４が、グリップを改善するために、ローレット（刻み付け）加工またはテクスチャ加工されている。
【００３４】
図１０ｉから図１０ｉｖを参照すると、一実施形態では、保持器２００のブラシグリップ端部が、ブラシのハンドル端部を受け入れる保持器の伸張および／または変形を容易にするために、保持器２００を通る複数の穴２０４を有する。
【００３５】
図１１ｉから図１１ｉｖを参照すると、一実施形態では、保持器２１０のブラシグリップ端部がその中に多数の高密度に詰め込まれたディンプル２１４を有し、ブラシのハンドル端部を受け入れる保持器の伸張および／または変形を容易にする。
【００３６】
図１２ｉから図１２ｉｖを参照すると、一実施形態において、保持器２２０のブラシグリップ端部の内面２２４、２２４ａは、改善されたグリップのために、ローレット加工またはテクスチャ加工される。この場合、ローレット加工またはテクスチャ加工された表面は、ブラシグリップ端部の長さに沿って不連続である。
【００３７】
図４ｉから図１２ｉｖを参照して上述した保持器は、保持器がグリップおよび／または変形性／伸張能力を改善するように構成される具体的な方法以外は、概ね、図２Ａから図２Ｃを参照して説明した保持器と同じ方法で構成され、同じ方法で使用される。
【００３８】
図１３ｉから図１３ｖ、および、図１４ｉから図１４ｖを参照すると、図示される２つの保持器は、可撓性を提供する概して蛇腹状または波形の形態を有する。蛇腹形状または波形形状を達成するために、各保持器は、各々が対応する内部チャネルを有する複数の外部リッジと、各々が対応する内部リッジを有する複数の外部チャネルとを有する。リッジおよびチャネルは、保持器に対して長手方向に、すなわち、マウント端部の開口部からブラシグリップ端部の開口部まで延びる。
【００３９】
図１３ｉから図１３ｖに示される保持器２３０は、８つの外部リッジ２３２を有し、これにより、外部リッジ間に８つの外部チャネル２３４を有する。図１４ｉから図１４ｖに示される保持器２４０は、６つの外部リッジ２４２を有し、これにより、外部リッジ間に６つの外部チャネル２４４を有する。各場合において、それぞれの保持器のマウント端部２３６、２４６は、マウントピース２０に取り付けるように構成される。各保持器２３０、２４０は弾性的に変形可能であり、ブラシのハンドル端部を位置決めして保持するために、伸張されていない構成から伸張された構成に伸張することができる。変形実施形態では、マウント端部２３６、２４６は蛇腹形状または波形形状である必要はない。変形実施形態では、保持器が別の数の、例えば４〜１２個の、外側リッジおよび外側チャネルを有することができる。
【００４０】
各保持器２３０、２４０のブラシグリップ端部の開口部において、各内部リッジ２３２、２４２は、２３９、２４９で示されるように斜めにされる。これは、保持器２３０、２４０のブラシグリップ端部内へのブラシハンドル端部の位置決めを容易にする。
【００４１】
蛇腹形状の結果、各保持器２３０、２４０の内面は複数のピークおよびトラフを含み、ピークは各リッジの頂点にあり、トラフは各チャネルの基部にある。２３８および２４８で示されるように、各ピークと各トラフとの間の表面には溝が設けられ、この溝はピークおよびトラフに平行に長手方向に延びる。溝は、各ピークと隣接するトラフとの間の中間に延在する。このような溝２３８、２４８は保持器の可撓性を改善し、延伸および把持を助けることが見出されている。
【００４２】
変形実施形態ではリッジ、チャネル、ピーク、トラフ、および溝は使用時に保持器が回転する軸に対して長手方向には延びない。これらは、所望の効果を達成するように他の方向を向いていてもよい。例えば、それらは、電動装置に向かって先細りになっていてもよい。
【００４３】
使用に際して、各保持器２３０、２４０は、保持されるブラシのハンドル端部を覆って伸ばされる。洗浄後、ブラシと保持器を引き離すことによってブラシが取り除かれ、保持器２３０、２４０はその初期の伸張されていない構成に戻る。
【００４４】
異なるサイズのブラシを収容するように構成された複数の保持器のキットが提供され得る。その結果、保持器のうちの少なくとも１つが、広範囲の異なるサイズおよび形状のブラシハンドル端部を収容するために使用され得る。
【００４５】
上述した保持器は、ゴムまたは他の弾性的に変形可能な材料から作ることができる。
【００４６】
当業者であれば、実施形態に対して様々な変更が可能であることを理解するであろう。
【００４７】
本発明の実施形態は回転運動がブラシに伝達されるように、デバイスが駆動シャフトに結合されるいかなる特定の方法にも限定されない。変形実施形態では電動装置の取り付け部品が他の形状であってもよく、取り付け部分はそのような取り付け部品と係合するように構成されてもよい。
【００４８】
本発明の実施形態はまた、ブラシの回転を要求することに限定されない。変形実施形態では、電動装置が結合されたブラシを回転運動以外の運動と共に移動させ、一方、保持されたブラシを、ブラシの洗浄および／または乾燥を助けるように移動させるように構成されてもよい。例えば、移動は、急速な前後移動であってもよい。
【００４９】
上述の保持器は取り付けられたブラシをその長さを中心に回転させることを可能にするが、代替実施形態ではブラシが回転軸に対してオフセットされ、ブラシの回転が回転軸を中心とするように保持されてもよい。そのような場合、回転軸は駆動シャフトの軸である。
【００５０】
本出願人は本明細書で説明される個々の特徴またはステップ、および２つ以上のそのような特徴の任意の組み合わせを、そのような特徴またはステップ、または特徴および／またはステップの組み合わせが、本明細書で開示される任意の問題を解決するかどうかにかかわらず、特許請求の範囲に対して限定を加えることなく、当業者の共通の一般知識に照らして、本明細書全体に基づいて実施することができる範囲で、本明細書で単独で開示する。
【図１Ａ】
2019005585.tif 000003
【図１Ｂ】
2019005585.tif 000004
【図１Ｃ】
2019005585.tif 000005
【図２Ａ】
2019005585.tif 000006
【図２Ｂ】
2019005585.tif 000007
【図２Ｃ】
2019005585.tif 000008
【図３Ａ】
2019005585.tif 000009
【図３Ｂ】
2019005585.tif 000010
【図４ｉ】
2019005585.tif 000011
【図４ｉｉ】
2019005585.tif 000012
【図４ｉｉｉ】
2019005585.tif 000013
【図４ｉｖ】
2019005585.tif 000014
【図５ｉ】
2019005585.tif 000015
【図５ｉｉ】
2019005585.tif 000016
【図５ｉｉｉ】
2019005585.tif 000017
【図５ｉｖ】
2019005585.tif 000018
【図６ｉ】
2019005585.tif 000019
【図６ｉｉ】
2019005585.tif 000020
【図６ｉｉｉ】
2019005585.tif 000021
【図６ｉｖ】
2019005585.tif 000022
【図７ｉ】
2019005585.tif 000023
【図７ｉｉ】
2019005585.tif 000024
【図７ｉｉｉ】
2019005585.tif 000025
【図７ｉｖ】
2019005585.tif 000026
【図８ｉ】
2019005585.tif 000027
【図８ｉｉ】
2019005585.tif 000028
【図８ｉｉｉ】
2019005585.tif 000029
【図８ｉｖ】
2019005585.tif 000030
【図９ｉ】
2019005585.tif 000031
【図９ｉｉ】
2019005585.tif 000032
【図９ｉｉｉ】
2019005585.tif 000033
【図９ｉｖ】
2019005585.tif 000034
【図１０ｉ】
2019005585.tif 000035
【図１０ｉｉ】
2019005585.tif 000036
【図１０ｉｉｉ】
2019005585.tif 000037
【図１０ｉｖ】
2019005585.tif 000038
【図１１ｉ】
2019005585.tif 000039
【図１１ｉｉ】
2019005585.tif 000040
【図１１ｉｉｉ】
2019005585.tif 000041
【図１１ｉｖ】
2019005585.tif 000042
【図１２ｉ】
2019005585.tif 000043
【図１２ｉｉ】
2019005585.tif 000044
【図１２ｉｉｉ】
2019005585.tif 000045
【図１２ｉｖ】
2019005585.tif 000046
【図１３ｉ】
2019005585.tif 000047
【図１３ｉｉ】
2019005585.tif 000048
【図１３ｉｉｉ】
2019005585.tif 000049
【図１３ｉｖ】
2019005585.tif 000050
【図１３ｖ】
2019005585.tif 000051
【図１４ｉ】
2019005585.tif 000052
【図１４ｉｉ】
2019005585.tif 000053
【図１４ｉｉｉ】
2019005585.tif 000054
【図１４ｉｖ】
2019005585.tif 000055
【図１４ｖ】
2019005585.tif 000056
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
ブラシのハンドル端部を保持するための保持器であって、
マウントに取り付け可能な端部と、
ブラシのハンドル端部が固定され得るカラーを備えるもう１つの端部とを備え、
前記カラーは、当該カラーにおけるハンドル端部の固定を容易にするために、当該カラーの内面に、１つ以上の凹部および１つ以上の凸部の少なくとも一方を有し、前記ハンドル端部が前記カラーに固定されるとき、その回転軸の周りのマウントの回転は、当該軸の周りのブラシの回転を引き起こす、保持器。
【請求項２】
前記１つ以上の凹部および１つ以上の凸部の少なくとも一方は、カラーの変形を促進することにより、ハンドル端部のカラーへの固定を促進する、請求項１に記載の保持器。
【請求項３】
前記カラーは、当該カラーの外面に１つ以上の凹部を有する、請求項１に記載の保持器。
【請求項４】
前記カラーは、その外面に１つ以上の凸部を有する、請求項１に記載の保持器。
【請求項５】
前記外面における前記１つ以上の凸部は、複数のリッジ、ローレット、または他の突起を含む、請求項１〜４のいずれか一項に記載の保持器。
【請求項６】
前記カラーの内面における前記１つ以上の凹部は、複数の溝またはディンプルを備える、請求項１〜５のいずれか一項に記載の保持器。
【請求項７】
前記カラーは蛇腹形状を有し、前記１つ以上の凹部は前記蛇腹形状のチャネルを備え、折り畳まれた構成の前記リッジおよび前記チャネルは前記カラーの長さに対して平行に延在する、請求項１〜３のいずれか一項に記載の保持器。
【請求項８】
前記カラーがブラシのハンドル端部を位置決めし、保持するために、伸張されていない構成から伸張された構成に伸張され得るように、前記保持器が弾性的に変形可能な材料で形成される、請求項７に記載の保持器。
【請求項９】
前記カラーの内面における前記１つ以上のリッジが、前記カラーの開口部に向かって斜めに設けられた、請求項７または８に記載の保持器。
【請求項１０】
リッジの頂部と、チャネルの隣接するトラフとの間の１つ以上の表面が、頂部の長さに対して実質的に平行に延びる溝をその中に有する、請求項７〜９のいずれか一項に記載の保持器。
【請求項１１】
前記カラーの直径が５ｍｍ〜３０ｍｍである、請求項１に記載の保持器。
【請求項１２】
請求項１〜１１のいずれか一項に記載の保持器を複数含むキットであって、各々の保持器が、異なる円周の１つ以上のブラシハンドルを保持するように構成された、キット。
【請求項１３】
ブラシを回転させるための電動装置であって、
マウントと、
請求項１〜１１のいずれか一項に記載の保持器とを備え、
前記端部は、前記マウントの回転が前記ブラシをその長さを中心として回転させるように、前記マウントに取り付けられる、電動装置。
【請求項１４】
前記電動装置は手持ち式である、請求項１３に記載の電動装置。
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
ブラシのハンドル端部を保持するための保持器であって、
マウントに取り付け可能な端部と、
ブラシのハンドル端部が固定され得るカラーであって、前記保持器の周方向に沿って連続した側面を有するカラーを備えるもう１つの端部とを備え、
前記カラーは、前記ハンドル端部を受け入れる際に当該カラーの前記側面が周方向に変形および／または伸張することを可能とするために、当該カラーの前記側面の内面に、１つ以上の凹部および１つ以上の凸部の少なくとも一方を有し、前記ハンドル端部が前記カラーに固定されるとき、その回転軸の周りのマウントの回転は、当該軸の周りのブラシの回転を引き起こす、保持器。
【請求項２】
前記カラーは、当該カラーの外面に１つ以上の凹部を有する、請求項１に記載の保持器。
【請求項３】
前記カラーは、その外面に１つ以上の凸部を有する、請求項１に記載の保持器。
【請求項４】
前記外面における前記１つ以上の凸部は、複数のリッジ、ローレット、または他の突起を含む、請求項１〜３のいずれか一項に記載の保持器。
【請求項５】
前記カラーの内面における前記１つ以上の凹部は、複数の溝またはディンプルを備える、請求項１〜４のいずれか一項に記載の保持器。
【請求項６】
前記カラーは蛇腹形状を有し、前記１つ以上の凹部は前記蛇腹形状のチャネルを備え、折り畳まれた構成の前記リッジおよび前記チャネルは前記カラーの長さに対して平行に延在する、請求項１〜３のいずれか一項に記載の保持器。
【請求項７】
前記カラーがブラシのハンドル端部を位置決めし、保持するために、伸張されていない構成から伸張された構成に伸張され得るように、前記保持器が弾性的に変形可能な材料で形成される、請求項６に記載の保持器。
【請求項８】
前記カラーの内面における前記１つ以上のリッジが、前記カラーの開口部に向かって斜めに設けられた、請求項６または７に記載の保持器。
【請求項９】
リッジの頂部と、チャネルの隣接するトラフとの間の１つ以上の表面が、頂部の長さに対して実質的に平行に延びる溝をその中に有する、請求項６〜８のいずれか一項に記載の保持器。
【請求項１０】
前記カラーの直径が５ｍｍ〜３０ｍｍである、請求項１に記載の保持器。
【請求項１１】
請求項１〜１０のいずれか一項に記載の保持器を複数含むキットであって、各々の保持器が、異なる円周の１つ以上のブラシハンドルを保持するように構成された、キット。
【請求項１２】
ブラシを回転させるための電動装置であって、
マウントと、
請求項１〜１０のいずれか一項に記載の保持器とを備え、
前記端部は、前記マウントの回転が前記ブラシをその長さを中心として回転させるように、前記マウントに取り付けられる、電動装置。
【請求項１３】
前記電動装置は手持ち式である、請求項１２に記載の電動装置。
【外国語明細書】
2019005585.tif 000057
2019005585.tif 000058
2019005585.tif 000059
2019005585.tif 000060
2019005585.tif 000061
2019005585.tif 000062
2019005585.tif 000063
2019005585.tif 000064
2019005585.tif 000065
2019005585.tif 000066
2019005585.tif 000067
2019005585.tif 000068
2019005585.tif 000069
2019005585.tif 000070
2019005585.tif 000071
2019005585.tif 000072
2019005585.tif 000073
2019005585.tif 000074
2019005585.tif 000075
2019005585.tif 000076
2019005585.tif 000077
2019005585.tif 000078
2019005585.tif 000079
2019005585.tif 000080
2019005585.tif 000081
2019005585.tif 000082
2019005585.tif 000083
2019005585.tif 000084
2019005585.tif 000085
2019005585.tif 000086
2019005585.tif 000087
2019005585.tif 000088
2019005585.tif 000089
2019005585.tif 000090
2019005585.tif 000091
2019005585.tif 000092
2019005585.tif 000093
2019005585.tif 000094
2019005585.tif 000095
2019005585.tif 000096
2019005585.tif 000097
2019005585.tif 000098
2019005585.tif 000099
2019005585.tif 000100
2019005585.tif 000101
2019005585.tif 000102
2019005585.tif 000103
2019005585.tif 000104
2019005585.tif 000105
2019005585.tif 000106
2019005585.tif 000107
2019005585.tif 000108
2019005585.tif 000109
2019005585.tif 000110
2019005585.tif 000111
2019005585.tif 000112
2019005585.tif 000113
2019005585.tif 000114
2019005585.tif 000115
2019005585.tif 000116
2019005585.tif 000117
2019005585.tif 000118
2019005585.tif 000119
2019005585.tif 000120
2019005585.tif 000121
2019005585.tif 000122
2019005585.tif 000123
2019005585.tif 000124